(57)【要約】【課題】  商品情報又はサービス情報を筆記または消去可能であると共に組立作業も不要で極めて容易に反復使用でき、より低廉に作製可能な商品又はサービス情報表示具を提供する。【解決手段】  本発明の陶磁製商品又はサービス情報表示具１は、陶磁原料を成形および焼成して形成された本体部２と、本体部２の少なくとも一面に設けられ商品又はサービス情報を筆記するための筆記面３とを有し、筆記面３は、油性ペンにて書き込み可能で、かつ油性ペンのインクを拭き取ることにより消去可能な釉薬面にて形成されている。【選択図】図１
2014014497.tif 000002
【特許請求の範囲】
【請求項１】
陶磁原料を成形および焼成して形成された本体部と、前記本体部の少なくとも一面に設けられ商品又はサービス情報を筆記するための筆記面とを有し、前記筆記面は、油性ペンにて書き込み可能で、かつ油性ペンのインクを拭き取ることにより消去可能な釉薬面にて形成されていることを特徴とする陶磁製商品又はサービス情報表示具。
【発明の詳細な説明】
【技術分野】
【０００１】
本発明は、繰り返して筆記または消去が可能な陶磁製商品又はサービス情報表示具に関するものである。
【背景技術】
【０００２】
従来より、商品の陳列台等や陳列棚上において商品の前方等に並置され、その商品の価格などの商品情報を表示する商品情報表示具が種々提案されている。また、飲食店のメニューボートなど、提供するサービスの情報を表示するサービス情報表示具も種々提案されている。例えばそのようなものとして、実用新案登録第３１２９８７６号公報のプライス表示具がある。
【０００３】
このプライス表示具３０は、図５および図６に示すように、プライスカード３１と、プライスカード３１を設置可能な凹条溝３２を備えたプライスカード設置台３３と透明ブロック３４とからなり、プライスカード設置台３３は横長の棒状ブロック体に構成されると共に、透明や半透明の所定の色調を持つアクリル樹脂により構成されている。他方、透明ブロック３４は、プライスカード設置台３３の凹条溝３２内に嵌入可能な棒状ブロック体に構成され、無色透明または有色透明のガラスまたは合成樹脂により作製されている。
【０００４】
そして、このプライス表示具３０は、商品が陳列された陳列台やこの陳列台の上に、プライスカード設置台３３が載置され、このプライスカード設置台３３の凹条溝３２内に価格が記入されたプライスカード３１が配され、その上を被覆するように透明ブロック３４をプライスカード設置台３３の凹条溝３２内に嵌め込むことにより使用される。
【０００５】
しかし、このプライス表示具３０は、プライスカード３１とプライスカード設置台３３と透明ブロック３４とからなり部品点数が多く高価になりがちであり、組立作業が必要で使用方法も煩雑であった。
【先行技術文献】
【特許文献】
【０００６】
【特許文献１】実用新案登録第３１２９８７６号公報
【発明の概要】
【発明が解決しようとする課題】
【０００７】
そこで、本発明の課題は、商品情報またはサービス情報を筆記または消去可能であると共に組立作業も不要で極めて容易に反復使用でき、より低廉に作製可能な陶磁製商品又はサービス情報表示具を提供することにある。
【課題を解決するための手段】
【０００８】
上記課題を解決するものは、陶磁原料を成形および焼成して形成された本体部と、前記本体部の少なくとも一面に設けられ商品又はサービス情報を筆記するための筆記面とを有し、前記筆記面は、油性ペンにて書き込み可能で、かつ油性ペンのインクを拭き取ることにより消去可能な釉薬面にて形成されていることを特徴とする陶磁製商品又はサービス情報表示具である。
【０００９】
前記筆記面に書き込まれた油性ペンのインクは、前記筆記面に水を付着させて拭き取ることにより消去可能な釉薬面にて形成されていることが好ましい。前記筆記面は、傾斜面に形成されていることが好ましい。前記陶磁製商品又はサービス情報表示具は、横長でかつ縦断面形状が略三角形であることが好ましい。前記陶磁製商品又はサービス情報表示具は、プライスバーであってもよい。前記陶磁製商品又はサービス情報表示具は、商品説明用プレート又はサービス説明用プレートであってもよい。
【発明の効果】
【００１０】
請求項１に記載の発明によれば、商品情報又はサービス情報を筆記または消去可能であると共に組立作業も不要で極めて容易に反復使用でき、より低廉に作製可能な陶磁製商品又はサービス情報表示具を構成できる。
【図面の簡単な説明】
【００１１】
【図１】本発明の陶磁製商品又はサービス情報表示具の一実施例の斜視図である。
【図２】図１に示した陶磁製商品又はサービス情報表示具の縦断面図である。
【図３】本発明の陶磁製商品又はサービス情報表示具の他の実施例の斜視図である。
【図４】図３に示した陶磁製商品又はサービス情報表示具の縦断面図である。
【図５】従来の商品又はサービス情報表示具の使用状態を示す斜視図である。
【図６】図５に示した商品又はサービス情報表示具の右側面図である。
【発明を実施するための形態】
【００１２】
本発明では、筆記面３を油性ペンにて書き込み可能で、かつ油性ペンのインクを拭き取ることにより消去可能な釉薬面に形成したことで、商品情報又はサービス情報を筆記または消去可能であると共に組立作業も不要で極めて容易に反復使用でき、より低廉に作製可能な商品又はサービス情報表示具１を実現した。
【実施例１】
【００１３】
まず、図１および図２に示した本発明の陶磁製商品又はサービス情報表示具１について説明する。
この実施例の陶磁製商品又はサービス情報表示具１は、陶磁原料を成形および焼成して一体に形成された本体部２と、本体部２の少なくとも一面に設けられ商品情報又はサービス情報を筆記するための筆記面３とを有し、筆記面３は、油性ペンにて書き込み可能で、かつ油性ペンのインクを拭き取ることにより消去可能な釉薬面にて形成されている。以下、各構成について順次詳述する。
【００１４】
陶磁製商品又はサービス情報表示具１はプライスバーであって、商品の陳列台や陳列棚上において商品の前方等に並置され、その商品の価格を表示するために使用されるものである。
【００１５】
本体部２の形成材料としては、長石、珪石、陶石、粘土など一般的な陶磁原料が使用されている。
【００１６】
陶磁製商品又はサービス情報表示具１の製造方法としては、陶磁原料を混練した後、成形を行い、素焼きした後、施釉し本焼成して作製されている。陶磁材料は成形容易牲に優れるため様々な形態の商品又はサービス情報表示具を容易に作製することができる。
【００１７】
この実施例の陶磁製商品又はサービス情報表示具１の形態は、図１に示すように、横長でかつ縦断面形状が略三角形（略正三角形）の略三角柱に形成されている。このような形態に成形されることにより、簡素な形態で傾斜面を容易に形成できる。ただし、本発明の陶磁製商品又はサービス情報表示具はこのような形態に限定されるものではなく、筆記面３を備えるものであれば、どのような立体形状のもの（例えば立方体など）も本発明の範疇に包含される。
【００１８】
このように、本発明の陶磁製商品又はサービス情報表示具は、陶磁製であるため成形性に富み所望の形態に成形容易である。また、ある程度の重量を有しているため、配置した所定位置に定着しやすく移動してしまうこともなく、筆記も容易である。さらに、プライスカード（紙）などの廃棄物を産出することもなく、一体物であるため使用に際して組立作業も不要である。
【００１９】
陶磁製商品又はサービス情報表示具１には筆記面３が形成されており、筆記面３は本体部２の少なくとも一面に設けられ、この実施例では商品の価格を筆記するための部位として機能する。
【００２０】
筆記面３は、油性ペンにて書き込み可能で、かつ油性ペンのインクを拭き取ることにより消去可能な釉薬面にて形成されている。このように、釉薬面で形成された筆記面３は、油性ペンで書き込み可能であることにより、筆記面３に触れた程度では油性インクは消去されず商品又はサービス情報表示具として有効に機能する。一方、油性インクを布等に水を含浸させるなどして水を付着させて拭き取ることにより消去可能であるため、プライスバーとして極めて容易に反復使用することができる。特に水を筆記面３に付着させて拭き取ることにより油性インクが消去できるため、消去作業が極めて容易である。
【００２１】
筆記面３は載置された状態で傾斜面に形成されていることが好ましく、これにより、商品の購買者が筆記面３に記載された内容を目視することがより容易となる。
【００２２】
なお、筆記面３を構成する釉薬面は、釉薬原料中に釉薬層４の表面がより平滑となる原料を添加することにより実現できる。例えば、そのような原料としては、長石、炭酸リチウム、マグネサイト、タルク、石灰石、炭酸ストロンチウム、炭酸バリウム、または亜鉛華などが好適に使用できる。また、より平滑な釉薬面を形成するために、釉薬原料の粒度をより細かくすることが好ましい。さらに、釉薬層４を形成する釉薬の種類としては、磁器釉としての長石釉、白磁釉、青磁釉などが挙げられる。さらに、筆記面３の色彩としては、乳白色や、薄い青、緑、黄、或いはピンク色などを呈した乳白色などが好適である。
【００２３】
また、この実施例のプライスバー１は、図２に示すように、本体部２の表面（底面を除く）に釉薬層４が形成されることにより、本体部２の釉薬層４が形成された全域が、油性ペンにて書き込み可能で、かつ油性ペンのインクを拭き取ることにより消去可能な釉薬面に形成されている。これにより、複数の面に商品情報又はサービス情報を筆記または消去可能な陶磁製商品又はサービス情報表示具を構成できる。
【００２４】
つぎに、プライスバー１の使用方法について説明する。
このプライスバー１は、商品の陳列台や陳列棚上において商品の前方等に並置されて使用される。商品との並置に先立って筆記面３に油性ペンで商品の価格を記載する。そして、商品の価格を変更したり、他の商品のプライスバーとして使用する場合は、インクを布等に水を含浸させて拭き取ることにより消去する。さらに、油性ペンで価格を書き入れて再使用する。
【００２５】
このように、本発明のプライスバーは、筆記面３に記載された価格を何度でも消去した後、書き直すのみで、極めて容易に反復使用することができると共に、陶磁製一体物であるためより低廉に作製することができる。
【００２６】
つぎに、図３および図４に示した本発明の他の実施例である陶磁製商品又はサービス情報表示具１０について説明する。
【００２７】
陶磁製商品又はサービス情報表示具１０は商品説明用プレートであって、商品の陳列台や陳列棚上において商品の前方等に並置され、その商品の各種情報を表示するために使用される。
【００２８】
本体部１２の形成材料としては、長石、珪石、陶石、粘土など一般的な陶磁原料が使用されている。
【００２９】
陶磁製商品又はサービス情報表示具１０の製造方法としては、陶磁原料を混練した後、成形を行い、素焼きした後、施釉し本焼成して作製されている。陶磁材料は成形容易牲に優れるため様々な形態の商品又はサービス情報表示具を容易に作製することができる。
【００３０】
この実施例の陶磁製商品又はサービス情報表示具１０の形態は、図３に示すように、横長でかつ縦断面形状が略三角形（略直角三角形）の略三角柱に形成されている。このような形態に成形されることにより、簡素な形態で広い面積を有する傾斜面を容易に形成できる。ただし、本発明の陶磁製商品又はサービス情報表示具はこのような形態に限定されるものではなく、筆記面を備えるものであれば、どのような立体形状のものも本発明の範疇に包含される。
【００３１】
このように、本発明の陶磁製商品又はサービス情報表示具は、陶磁製であるため成形性に富み所望の形態に成形容易である。また、ある程度の重量を有しているため、配置した所定位置に定着しやすく移動してしまうこともなく、筆記も容易である。さらに、商品説明記入カード（紙）などの廃棄物を産出することもなく、一体物であるため使用に際して組立作業も不要である。
【００３２】
陶磁製商品又はサービス情報表示具１０には筆記面１３が形成されており、筆記面１３は本体部１２の少なくとも一面に設けられ、この実施例では商品情報を筆記するための部位として機能する。なお、筆記面１３は商品情報を記載するために、前述したプライスバー１の価格を記載する筆記面３に比してより広い面積を有するように構成されている。
【００３３】
筆記面１３は、油性ペンにて書き込み可能で、かつ油性ペンのインクを拭き取ることにより消去可能な釉薬面にて形成されている。このように、釉薬面で形成された筆記面１３は、油性ペンで書き込み可能であることにより、筆記面３に触れた程度ではインクは消去されず商品又はサービス情報表示具として有効に機能する。一方、インクを布等に水などを含浸させて拭き取ることにより消去できるため、商品説明用プレートとして極めて容易に反復使用することができる。特に水を筆記面１３に付着させて拭き取ることにより油性インクが消去できるため、消去作業が極めて容易である。
【００３４】
筆記面１３は載置された状態で傾斜面に形成されていることが好ましく、これにより、商品の購買者が筆記面１３に記載された商品説明を目視することがより容易となる。
【００３５】
なお、筆記面１３を構成する釉薬面は、釉薬原料中に釉薬層１４の表面がより平滑となる原料を添加することにより実現できる。例えば、そのような原料としては、長石、炭酸リチウム、マグネサイト、タルク、石灰石、炭酸ストロンチウム、炭酸バリウム、または亜鉛華などが好適に使用できる。また、より平滑な釉薬面を形成するために、釉薬原料の粒度をより細かくすることが好ましい。さらに、釉薬層１４を形成する釉薬の種類としては、磁器釉としての長石釉、白磁釉、青磁釉などが挙げられる。さらに、筆記面１３の色彩としては、乳白色や、薄い青、緑、黄、或いはピンク色などを呈した乳白色などが好適である。
【００３６】
また、この実施例の商品説明用プレート１０は、図４に示すように、本体部１２の表面（底面を除く）に釉薬層１４が形成されることにより、本体部１２の表面が、油性ペンにて書き込み可能で、かつ油性ペンのインクを拭き取ることにより消去可能な釉薬面に形成されている。これにより、複数の面に商品情報を筆記または消去可能な陶磁製商品又はサービス情報表示具を構成できる。
【００３７】
つぎに、商品説明用プレート１０の使用方法について説明する。
この商品説明用プレート１０は、商品の陳列台や陳列棚上において商品の前方等に並置されて使用される。商品との並置に先立って筆記面１３に油性ペンで商品情報を記載する。そして、商品情報を変更したり、他の商品の商品説明用プレートとして使用する場合は、インクを布等に水を含浸させて拭き取ることにより消去する。さらに、油性ペンで商品情報を書き入れて再使用する。
【００３８】
このように、本発明の商品説明用プレートは、筆記面１３に記載された商品情報を何度でも消去した後、書き直すのみで、極めて容易に反復使用することができると共に、陶磁製一体物であるためより低廉に作製および提供することができる。なお、本発明の陶磁製商品又はサービス情報表示具には、商品説明用プレート１０の他、メニューボードなどの陶磁製サービス情報表示具も包含される。
【符号の説明】
【００３９】
１    陶磁製商品又はサービス情報表示具
２    本体部
３    筆記面
４    釉薬層  
【図１】
2014014497.tif 000003
【図２】
2014014497.tif 000004
【図３】
2014014497.tif 000005
【図４】
2014014497.tif 000006
【図５】
2014014497.tif 000007
【図６】
2014014497.tif 000008